(57)【要約】【課題】均一な照明光が得られ、組立性や施工性を向上させることができる照明器具を提供する。【解決手段】器具本体２０に支持され、ＬＥＤユニット３２を覆う拡散カバー３３を有する複数の発光部３０を、互いに密集配置したので、隣接する発光部３０との境界をわかりにくくして、均一な照明光を得ることができる。また、各発光部３０からの拡散光を配向制御する反射部材２１Ａを器具本体２０と一体成形したので、組立性や施工性を向上させることができる。【選択図】図３
2015076271.tif 000002
【特許請求の範囲】
【請求項１】
器具本体と、
前記器具本体に支持され、ＬＥＤユニットを覆う拡散カバーを有し、互いに密集配置された複数の発光部と、
前記各発光部からの拡散光を配向制御する反射部材と、を備え、
前記器具本体および前記反射部材が一体成形されている照明器具。
【請求項２】
請求項１に記載の照明器具において、
前記器具本体よりも前記反射部材が照射方向に突出するように、前記器具本体および前記反射部材間に段差部が設けられている照明器具。
【請求項３】
請求項２に記載の照明器具において、
前記反射部材が前記照射方向に向かう拡開形状である照明器具。
【発明の詳細な説明】
【技術分野】
【０００１】
本発明は、複数の発光部を並行して設けた照明器具に関するものである。
【背景技術】
【０００２】
従来、複数の発光部を並行して設けた面状の照明器具が知られている（例えば、特許文献１参照）。
図８に示すように、特許文献１に記載の照明器具１００は、並列して配置された二つの単一照明モジュール１０１を有し、二つの単一照明モジュール１０１間の空間に電源制御部１０２を有する。
二つの単一照明モジュール１０１は、ブラケット１０３で結合され、端部にサイドカバー１０４を有する。
連結された二つの単一照明モジュール１０１の前方（下方）には、ルーバー１１２が取り付けられる。
【０００３】
単一照明モジュール１０１は、ケース１０５、ケース１０５に収納される発光部１０６および発光部１０６と離隔された拡散板１０７を備え、更に反射板１０８を備える。
なお、発光部１０６は、矩形板状の回路基板１０９、回路基板１０９の長手方向に沿って設けられた複数のＬＥＤ１１０、放熱シート１１１を有する。
【先行技術文献】
【特許文献】
【０００４】
【特許文献１】特開２０１２−１０４４８５号公報（第７図）
【発明の概要】
【発明が解決しようとする課題】
【０００５】
しかしながら、前述した特許文献１に記載のような従来の照明器具１００においては、並列に連結された二つの単一照明モジュール１０１が離れているため、均一な照明光が得られないという問題がある。
また、ケース１０５と反射板１０８とが別体であるため、組立性および施工性が悪いという問題がある。
【０００６】
本発明は、従来の問題を解決するためになされたもので、均一な照明光が得られ、組立性や施工性を向上させることができる照明器具を提供することを目的とする。
【課題を解決するための手段】
【０００７】
本発明の照明器具は、器具本体と、前記器具本体に支持され、ＬＥＤユニットを覆う拡散カバーを有し、互いに密集配置された複数の発光部と、前記各発光部からの拡散光を配向制御する反射部材と、を備え、前記器具本体および前記反射部材が一体成形されているものである。
【０００８】
また、本発明の照明器具は、前記器具本体よりも前記反射部材が照射方向に突出するように、前記器具本体および前記反射部材間に段差部が設けられているものである。
【０００９】
さらに、本発明の照明器具は、前記反射部材が前記照射方向に向かう拡開形状であるものである。
【発明の効果】
【００１０】
本発明は、器具本体に支持され、ＬＥＤユニットを覆う拡散カバーを有する複数の発光部を、互いに密集配置したので、隣接する発光部との境界をわかりにくくして、均一な照明光を得ることができる。また、各発光部からの拡散光を配向制御する反射部材を器具本体と一体成形したので、組立性や施工性を向上させることができるという効果を有する照明器具を提供できる。
【図面の簡単な説明】
【００１１】
【図１】（Ａ）は本発明に係る第１実施形態の照明器具の平面図であり、（Ｂ）は（Ａ）中Ｂ−Ｂ位置の断面図であり、（Ｃ）は（Ａ）中Ｃ−Ｃ方向から見た側面図および断面図
【図２】本発明に係る第１実施形態の照明器具の分解斜視図
【図３】本発明に係る第１実施形態の照明器具の器具本体および反射部材の断面図
【図４】本発明に係る第１実施形態の照明器具の器具本体および反射部材の変形例を示す断面図
【図５】図１（Ｂ）中Ｖ部分の拡大図
【図６】本発明に係る第２実施形態の照明器具の器具本体および反射部材の断面図
【図７】本発明に係る第３実施形態の照明器具の器具本体および反射部材の断面図
【図８】従来の照明器具の分解斜視図
【発明を実施するための形態】
【００１２】
（第１実施形態）
以下、本発明に係る第１実施形態の照明器具について、図面を用いて説明する。
図１（Ａ）〜図１（Ｃ）に示すように、第１実施形態の照明器具１０Ａは、被取付部である天井面１１に設けられた取付開口部１２に埋め込んで、主に下方を照明するのに用いることができる。
なお、以下の説明においては、照明光の照射方向を「下方（下側）」と云い、照射方向と反対側を「上方（上側）」ということとする。
【００１３】
照明器具１０Ａは、下方に開口（開口５１）した矩形箱状の箱体５０を有する。
箱体５０は矩形板状の天板５２を有しており、天板５２の下面中央部は、長手方向に沿って断面Ｃ字形状の補強部材５４で補強されている。
補強部材５４および天板５２には取付孔５２１が設けられており、取付孔５２１を取付開口部１２に設けられているアンカーボルト１３に取り付けることにより、箱体５０を取付開口部１２に取り付ける。
【００１４】
天板５２の下面には、電源ユニット５５、電源用端子台５６、制御用端子台５７が取り付けられており、箱体５０に収容されている。
箱体５０の側板５３の下端部には、外側に水平に延びるつば部５８が全周にわたって設けられている（図５参照）。
つば部５８は、箱体５０を取付開口部１２に下方から取り付けた際に、天井面１１の下面に当接して、下方に露出する。
【００１５】
図５に示すように、箱体５０の側板５３の内面には、下端部付近に断面略Ｊ字形状の取付板５９が取り付けられる。
取付板５９は、箱体５０の内側向かってに水平に延びる上水平板５９１と、上水平板５９１の外側端部から下方に延びる垂直板５９２と、垂直板５９２の下端から内側に延びる下水平板５９３とを有する。
垂直板５９２は箱体５０の側板５３の内面に接合される。
【００１６】
図２に示すように、箱体５０の内部には、発光部３０（図１（Ｂ）、（Ｃ）参照）を支持する器具本体２０および発光部３０からの拡散光を配向制御する反射部材２１Ａが取り付けられる。
図３に示すように、器具本体２０および反射部材２１Ａは、一枚の板材を折曲げて一体的に形成することができる。
器具本体２０は平板状を呈しており、幅方向両側には、一段下がって水平な段差部２２が設けられる。
段差部２２の幅方向外側には、幅方向外側に向かって直線的に下方に傾斜して拡開する反射部材２１Ａが設けられる。
なお、以下の説明において、反射部材２１Ａおよび段差部２２を含めて器具本体２０と云う場合もある。
【００１７】
反射部材２１Ａの下端を外側に向かって水平に折曲げ、さらに先端を上向きに折曲げて、断面Ｌ字形状の反射部材支持部２３が形成される。
なお、器具本体２０および段差部２２および反射部材２１Ａの内面（下面）は、光を反射するように、例えば白色に塗装する。
また、図４に示すように、反射部材２１Ａを、下方に傾斜して拡開するように曲面で形成することもできる。
【００１８】
図３に示すように、器具本体２０の下面には、複数（ここでは、例えば４個）の発光部３０が、並行して密集配置される。
すなわち、各発光部３０は、隣接する発光部３０と互いに干渉しない程度に近接して設けられている。
図３および図５に示すように、発光部３０は、器具本体２０に取り付けられた回路基板３１と、回路基板３１に実装されたＬＥＤユニット３２と、回路基板３１およびＬＥＤユニット３２を覆う拡散カバー３３とを有する。
回路基板３１は細長い矩形板状を呈しており、回路基板３１の長手方向に沿ってＬＥＤユニット３２が所定間隔で複数配置される。
ＬＥＤユニット３２は、回路基板３１の幅方向に一列で良いが、複数列でも可能である。
【００１９】
拡散カバー３３は、例えば乳白色の透光性を有するアクリルで形成されており、上方が開口して、回路基板３１の全体を内包する大きさの矩形箱状を呈している。
拡散カバー３３は、上下方向に設けられ対向する一対の側板３３１と、両側板３３１の下端を連結する底板３３２を有する。
【００２０】
一対の側板３３１は、下方に向かって互いに接近する方向に僅かに傾斜している。
底板３３２は曲面形状を呈しており、幅方向両端部よりも中央部がわずかに下方に下がっている。
なお、底板３３２が下方に大きく湾曲すると、ＬＥＤユニット３２からの光が拡散しすぎて、正面（下方）への光が少なくなるので、僅かに下方へ湾曲した形状が好ましい。
側板３３１と底板３３２との境界である角部３３３は、側板３３１から底板３３２へとなだらかな曲面状に形成されている。
【００２１】
底板３３２は、器具本体２０と反射部材２１Ａとの間の段差部２２よりも下方に位置している。
ＬＥＤユニット３２が発する光は、所定の角度θ（例えば、θ≒１２０度）で拡がっており、器具本体２０の幅方向両端部に配置された発光部３０からの光は、段差部２２に遮られないように照射され、反射部材２１Ａにより下方へ反射する。
【００２２】
図１（Ｂ）、図１（Ｃ）および図５に示すように、発光部３０の下方である箱体５０の開口５１には、透光性を有するパネル４０が取り付けられる。
パネル４０は、発光部３０の前方に設けられて光を拡散する矩形板状の透光パネル４１を有し、透光パネル４１の外周には透光パネル４１を支持する枠部材４２を有する。
透光パネル４１は、上下のスペーサ４３を介して枠部材４２に挟持される。
【００２３】
図５に示すように、器具本体２０は、箱体５０内部の取付板５９に取り付けられる。
器具本体２０は、段差部２２を取付板５９の上水平板５９１の下面に当接させ、ねじ２４により取り付ける。
このとき、器具本体２０の反射部材支持部２３と取付板５９の下水平板５９３との間には、スペーサ２５を介在させる。
【００２４】
また、パネル４０を箱体５０の開口５１に取り付ける際には、まず、前述したようにして、器具本体２０を箱体５０の内部に取り付ける。
そして、パネル４０の枠部材４２に設けられている貫通孔（図示省略）にねじ２６を通し、さらに器具本体２０の反射部材支持部２３に設けられている貫通孔（図示省略）に通して、下水平板５９３に設けられているねじ孔５９４に締結する。
これにより、パネル４０は、着脱可能に箱体５０に取り付けられる。
また、パネル４０を取り付けることにより、器具本体２０の反射部材支持部２３を取付板５９の下水平板５９３に取り付けることができ、より確実に器具本体２０を箱体５０に取り付けることができる。
【００２５】
第１実施形態の照明器具１０Ａの作用効果について説明する。
図３および図４に示すように、器具本体２０に支持され、ＬＥＤユニット３２を覆う拡散カバー３３を有する複数の発光部３０を、互いに密集配置した。
このため、隣接する発光部３０との距離を小さくして境界をわかりにくくすることができ、均一な照明光を得ることができる。
また、各発光部３０からの拡散光を配向制御する反射部材２１Ａを器具本体２０と一体成形したので、組立性や施工性を向上させることができる。
【００２６】
また、器具本体２０と反射部材２１Ａとの間に段差部２２を設けて、反射部材２１Ａが器具本体２０よりも照射方向に突出するようにした。
このため、発光部３０からの光が確実に反射部材２１Ａに照射されるので、光を反射部材２１Ａによって反射させることができ、所望の配光制御を行うことができる。
【００２７】
反射部材２１Ａを、照射方向に向かって拡開する形状とした。
このため、発光部３０からの光を確実に反射部材２１Ａで下方へ反射することができるので、所望の配光制御を行うことができる。
【００２８】
（第２実施形態）
次に、第２実施形態の照明器具について説明する。
なお、前述した第１実施形態の照明器具１０Ａと共通する部位には同じ符号を付して、重複する説明を省略することとする。
図６に示すように、第２実施形態の照明器具１０Ｂでは、反射部材２１Ｂを段差部２２に連続して水平に設けた。すなわち、反射部材２１Ｂは、１８０度拡開している。
なお、反射部材２１Ｂの外側には、反射部材支持部２３が設けられる。
【００２９】
このように構成しても、前述した第１実施形態の照明器具１０Ａと同様の作用・効果を得ることができ、均一な照明光を得ることができるとともに組立性や施工性を向上させることができる。
【００３０】
（第３実施形態）
次に、第３実施形態の照明器具について説明する。
なお、前述した第１実施形態の照明器具１０Ａおよび第２実施形態の照明器具１０Ｂと共通する部位には同じ符号を付して、重複する説明を省略することとする。
図７に示すように、第３実施形態の照明器具１０Ｃでは、段差部２２を設けることなく反射部材２１Ｃを器具本体２０に連続して水平に設けた。従って、反射部材２１Ｃは、１８０度拡開している。
なお、反射部材２１Ｃの外側には、反射部材支持部２３が設けられる。
【００３１】
このように構成しても、前述した第１実施形態の照明器具１０Ａおよび第２実施形態の照明器具１０Ｂと同様の作用、効果を得ることができ、均一な照明光を得ることができるとともに組立性や施工性を向上させることができる。
【００３２】
本発明の照明器具は、前述した各実施形態に限定されるものでなく、適宜な変形、改良等が可能である。
例えば、前述した各実施形態においては、発光部３０の前方に、箱体５０の開口５１を覆うパネル４０を設けたが、このパネル４０は本発明においては必須のものではない。すなわち、本発明に係る照明器具１０Ａ、１０Ｂ、１０Ｃは、パネル４０を設けない場合にも適用可能である。
【符号の説明】
【００３３】
１０Ａ、１０Ｂ、１０Ｃ  照明器具
２０  器具本体
２１Ａ、２１Ｂ、２１Ｃ  反射部材
２２  段差部
３０  発光部
３２  ＬＥＤユニット
３３  拡散カバー
【図１】
2015076271.tif 000003
【図２】
2015076271.tif 000004
【図３】
2015076271.tif 000005
【図４】
2015076271.tif 000006
【図５】
2015076271.tif 000007
【図６】
2015076271.tif 000008
【図７】
2015076271.tif 000009
【図８】
2015076271.tif 000010